(57)【要約】【課題】電源電圧が停止した時、残像が発生しない、各部品に悪影響を及ぼさない、液晶表示装置を提供する。【解決手段】複数の信号線１７および複数の走査線１８を有する液晶パネル１１と、各信号線１７を駆動する信号線駆動部１５と、各走査線１８を駆動する走査線駆動部１６と、電源電圧がオフする前にハイからロウに変化するディスプレイオフ信号および画像データが入力される制御部１２と、信号線駆動部１５に対し、複数個の階調基準電圧を出力し、ディスプレイオフ信号が入力されるガンマ補正部１４とを備え、ディスプレイオフ信号がハイからロウに変化した時、制御部１２は信号線駆動部１５に対し、固定した表示データを出力し、ガンマ補正部１４は信号線駆動部１５に対し、液晶パネル１１に供給される共通電圧を出力する。【選択図】図１
2007065134.tif 000002
【特許請求の範囲】
【請求項１】
複数の信号線および複数の走査線を有する液晶パネルと、各信号線を駆動する信号線駆動部と、各走査線を駆動する走査線駆動部と、電源電圧がオフする前にハイからロウに変化するディスプレイオフ信号および画像データが入力される制御部と、前記信号線駆動部に対し、複数個の階調基準電圧を出力し、前記ディスプレイオフ信号が入力されるガンマ補正部とを備え、前記ディスプレイオフ信号がハイからロウに変化した時、前記制御部は前記信号線駆動部に対し、固定した表示データを出力し、前記ガンマ補正部は前記信号線駆動部に対し、前記液晶パネルに供給される共通電圧を出力する事を特徴とする液晶表示装置。
【請求項２】
前記固定した表示データは、前記信号線駆動部の出力電圧の中で、前記共通電圧に近い出力電圧に対応するデータである事を特徴とする請求項１の液晶表示装置。
【請求項３】
前記液晶パネルはノーマリブラックにて構成され、前記ディスプレイオフ信号がハイからロウに変化した時、前記制御部は前記信号線駆動部に対し、全黒の表示データを出力し、前記ガンマ補正部は前記信号線駆動部を介して、各信号線に対し、前記共通電圧の値と等しい全黒の電圧を出力する事を特徴とする請求項１の液晶表示装置。
【請求項４】
前記液晶パネルはノーマリホワイトにて構成され、前記ディスプレイオフ信号がハイからロウに変化した時、前記制御部は前記信号線駆動部に対し、全白の表示データを出力し、前記ガンマ補正部は前記信号線駆動部を介して、各信号線に対し、前記共通電圧の値と等しい全白の電圧を出力する事を特徴とする請求項１の液晶表示装置。
【請求項５】
前記ガンマ補正部はスイッチ回路を有し、前記スイッチ回路の一端子は前記共通電圧が入力され、前記スイッチ回路の他端子は、前記共通電圧の値に近い、階調基準電圧の出力端子に接続され、前記スイッチ回路は前記ディスプレイオフ信号により制御されることを特徴とする請求項１または請求項３または請求項４のいずれか１つに記載された液晶表示装置。
【発明の詳細な説明】
【技術分野】
【０００１】
本発明は液晶表示装置に関する。
【背景技術】
【０００２】
従来、この種の装置は例えば、特許文献１に示されている。特許文献１の図１によると液晶パネル１１と、ゲートドライバ１２と、ソースドライバ１３と、コントロールＩＣ１４と、電源ＩＣ１５とからなる液晶表示装置が示されている。
【０００３】
電源ＩＣ１５は、ソースドライバ１３に対し、駆動用電圧３．３ボルトおよび第１電圧５ボルトを出力している。電源ＩＣ１５は、ゲートドライバ１２に対し、駆動電圧３．３ボルトおよび第２電圧１５ボルトおよび第３電圧−１５ボルトを出力している。また、コントロールＩＣ１４は、画像データが入力され、ソースドライバ１３に対し、表示データ等を出力している。そして、電源ＩＣ１５には、電源電圧の電圧が供給されている。
【特許文献１】特開２００４−４５７４８号公報
【発明の開示】
【発明が解決しようとする課題】
【０００４】
しかし上記装置では、電源ＩＣ１５に対して、電源電圧が停止した場合、表示データ等も無くなるが、液晶パネル１１（コンデンサ容量を持つ）は電荷を持っており、直ぐには放電しない。従って、この間、液晶パネル１１は残像が発生する、第１の欠点がある。
【０００５】
また、各部品（ソースドライバ１３やコントロールＩＣ１４等）は、電圧が印加されていない。しかし、液晶パネル１１の充電電圧が各部品に流れて、各部品に悪影響を及ぼす第２の欠点がある。そこで、本発明は、この様な従来の欠点を考慮し、電源電圧が停止した時、残像が発生しない、各部品に悪影響を及ぼさない、液晶表示装置を提供する。
【課題を解決するための手段】
【０００６】
上記課題を解決するために、請求項１の本発明では、複数の信号線および複数の走査線を有する液晶パネルと、各信号線を駆動する信号線駆動部と、各走査線を駆動する走査線駆動部と、電源電圧がオフする前にハイからロウに変化するディスプレイオフ信号および画像データが入力される制御部と、前記信号線駆動部に対し、複数個の階調基準電圧を出力し、前記ディスプレイオフ信号が入力されるガンマ補正部とを備え、前記ディスプレイオフ信号がハイからロウに変化した時、前記制御部は前記信号線駆動部に対し、固定した表示データを出力し、前記ガンマ補正部は前記信号線駆動部に対し、前記液晶パネルに供給される共通電圧を出力する。
【０００７】
請求項２の本発明では、前記固定した表示データは、前記信号線駆動部の出力電圧の中で、前記共通電圧に近い出力電圧に対応するデータである。
【０００８】
請求項３の本発明では、前記液晶パネルはノーマリブラックにて構成され、前記ディスプレイオフ信号がハイからロウに変化した時、前記制御部は前記信号線駆動部に対し、全黒の表示データを出力し、前記ガンマ補正部は前記信号線駆動部を介して、各信号線に対し、前記共通電圧の値と等しい全黒の電圧を出力する。
【０００９】
請求項４の本発明では、前記液晶パネルはノーマリホワイトにて構成され、前記ディスプレイオフ信号がハイからロウに変化した時、前記制御部は前記信号線駆動部に対し、全白の表示データを出力し、前記ガンマ補正部は前記信号線駆動部を介して、各信号線に対し、前記共通電圧の値と等しい全白の電圧を出力する。
【００１０】
請求項５の本発明では、前記ガンマ補正部はスイッチ回路を有し、前記スイッチ回路の一端子は前記共通電圧が入力され、前記スイッチ回路の他端子は、前記共通電圧の値に近い、階調基準電圧の出力端子に接続され、前記スイッチ回路は前記ディスプレイオフ信号により制御される。
【発明の効果】
【００１１】
請求項１の構成により、ディスプレイオフ信号がハイからロウに変化した時、信号線駆動部に対し、共通電圧が出力されるので、液晶パネルを構成する液晶には、電圧が印加されない。従って、電源電圧が停止する前に、液晶は急速に放電され、従来の残像は解消される。
【００１２】
請求項２の構成により、信号線駆動部に対し出力され、固定した表示データは、共通電圧に近い出力電圧に対応するデータである。従って、ディスプレイオフ信号がハイからロウに変化した時、液晶に印加される電圧は最小のものとなり、急速に放電される。
【００１３】
請求項３の構成により、ノーマリブラック型の液晶パネルにおいて、ディスプレイオフ信号がハイからロウに変化した時、全黒の表示データが出力され、各信号線に対し、共通電圧の値と等しい全黒の電圧が出力される。その結果、この時、液晶に電圧が印加されないので、電源電圧が停止する前に、液晶は急速に放電される。故に、残像は解消され、液晶の充電電圧による各部品への悪影響は生じない。
【００１４】
請求項４の構成により、ノーマリホワイト型の液晶パネルにおいて、ディスプレイオフ信号がハイからロウに変化した時、全白の表示データが出力され、各信号線に対し、共通電圧の値と等しい全白の電圧が出力される。その結果、この時、液晶に電圧が印加されないので、電源電圧が停止する前に、液晶は急速に放電される。故に、残像は解消され、液晶の充電電圧による各部品への悪影響は生じない。
【００１５】
請求項５の構成により、ディスプレイオフ信号がハイからロウに変化した時、前記階調基準電圧の出力端子を介して、信号線駆動部に対し、確実に、共通電圧が出力される。
【発明を実施するための最良の形態】
【００１６】
以下に、図面と実施例により、本発明を実施するための最良の形態を詳細に説明する。
【実施例１】
【００１７】
以下、図１ないし図３に従い、実施例１に係る液晶表示装置１０を説明する。図１は液晶表示装置１０を示すブロック図、図２は液晶表示装置１０に用いられる制御部１２のブロック図、図３は液晶表示装置１０に用いられるガンマ補正部１４などの電気回路図である。
【００１８】
図１において、液晶表示装置１０は、液晶パネル１１と、制御部１２と、電源部１３とガンマ補正部１４と、複数個の信号線駆動部１５と、複数個の走査線駆動部１６等からなる。
【００１９】
液晶パネル１１は例えば、下ガラス基板上に、複数個設けられた信号線１７と、複数個の走査線１８と、それらの交点近傍に設けられたＴＦＴと、ＴＦＴに接続された画素電極などを有する。液晶パネル１１は、上ガラス基板に設けられた共通電極と、下ガラス基板および上ガラス基板との間に設けられた液晶（共に図示せず）等を有する。
【００２０】
信号線駆動部１５は各信号線１７を駆動するドライバである。走査線駆動部１６は各走査線１８を駆動するドライバである。
【００２１】
なお、上記液晶パネル１１は、ノーマリブラックにて構成されている。即ち、上偏光板の偏光通過角度と、下偏光板の偏光通過角度は、平行に設けられている。
【００２２】
図１において、制御部１２は、図示しない入力インタフェースを介し、コンピュータ、テレビジョン装置、ビデオ再生装置、ＤＶＤ再生装置、ナビゲーション本体等から送られたデータイネーブル信号ＤＥ、例えばＲＧＢ各６ビットのデジタル画像データＩＲＤ，ＩＧＤ，ＩＢＤ、クロック信号ＤＯＴＣＬＫ、垂直同期信号ＶＳＹＮＣ、水平同期信号ＨＳＹＮＣ等を取り込む。
【００２３】
そして、制御部１２は、上記信号をデジタル的に信号処理し、デジタルＲＧＢ表示データＤＲ，ＤＧ，ＤＢ、水平クロック信号Ｘ＿ＣＬＫ、ストローブ信号ＳＴＲＢ、極性反転信号ＰＯＬ、およびスタートパルス信号ＥＩＳを、それぞれ信号線駆動部１５へ供給する。
【００２４】
制御部１２は、走査線駆動部１６に対し、スタートパルスＦＬＭ、垂直クロック信号ＣＰＶ、ゲートイネーブル信号ＯＥを供給する。
【００２５】
制御部１２の一具体例を、図２に従い、説明する。制御部１２は、ディスプレイオフ信号ＤＩＳＰＯＦＦの入力端子３１と、データイネーブル信号ＤＥ入力端子３４と、ＲＧＢ各６ビットのデジタル画像データＩＲＤ，ＩＧＤ，ＩＢＤの入力端子３５と、クロック信号ＤＯＴＣＬＫ入力端子３６と、垂直同期信号ＶＳＹＮＣ入力端子３２と、水平同期信号ＨＳＹＮＣ入力端子３３等を有している。
【００２６】
そして、制御部１２は、デジタルＲＧＢ表示データＤＲ，ＤＧ，ＤＢの出力端子４３と、水平クロック信号Ｘ＿ＣＬＫ出力端子４４と、ストローブ信号ＳＴＲＢ出力端子４０と、極性反転信号ＰＯＬ出力端子４１と、スタートパルス信号ＥＩＳ出力端子４２等を有している。
【００２７】
制御部１２の内部には、大きく分けて前処理部４５と、データイネーブル信号ＤＥカウンタ４６と、水平同期信号ＨＳＹＮＣカウンタ４７と、クロック信号ＤＯＴＣＬＫカウンタ４８を備えている。前処理部４５からの出力信号と、ＤＥカウンタ４６の出力信号と、ＨＳＹＮＣカウンタ４７の出力信号と、ＤＯＴＣＬＫカウンタ４８の出力信号とにより、スタートパルス出力手段（ＦＬＭ生成回路４９）において、スタートパルスＦＬＭ信号が生成され、ＤＯＴＣＬＫカウンタ４８の出力信号により、ＣＰＶ生成回路５０において、垂直クロック信号ＣＰＶが生成される。
【００２８】
また、ＤＯＴＣＬＫカウンタ４８の出力信号により、ＯＥ生成回路５１によりゲートイネーブル信号ＯＥが、ストローブ生成回路５２によりストローブ信号ＳＴＲＢが生成される。ＰＯＬ生成回路５３により極性反転信号ＰＯＬが生成され、ＥＩＳ生成回路５４によりスタートパルス信号ＥＩＳが生成される。更に、デジタル画像データＩＲＤ，ＩＧＤ，ＩＢＤは、データシフト回路５５において処理されて、デジタルＲＧＢ表示データＤＲ，ＤＧ，ＤＢとして出力される。
【００２９】
これらの前処理部４５と、ＤＥカウンタ４６と、ＨＳＹＮＣカウンタ４７と、ＤＯＴＣＬＫカウンタ４８と、ＯＥ生成回路５１と、ストローブ生成回路５２と、ＰＯＬ生成回路５３と、ＥＩＳ生成回路５４と、データシフト回路５５等の構成は、従来の制御部における構成と実質的に相違はなく、動作原理も同様であるので、詳細な説明は省略する。
【００３０】
但し、ディスプレイオフ信号ＤＩＳＰＯＦＦが、データシフト回路５５に入力されている点が、従来の制御部との相違点である。
【００３１】
電源電圧ＶＩＮは電源部１３に入力されている（図１参照）。上記電圧ＶＩＮが立ち上がると、それと同時に、あるいは、少し遅れて、ディスプレイオフ信号ＤＩＳＰＯＦＦは立ち上がり、ハイ状態となる。
【００３２】
また、電源電圧ＶＩＮが立ち下がる（オフ）する、少し前に、ディスプレイオフ信号ＤＩＳＰＯＦＦは立下り、ロウ状態となる。
【００３３】
この様に、ディスプレイオフ信号ＤＩＳＰＯＦＦも、図示しない入力インタフェースを介して、コンピュータ、テレビジョン装置、ナビゲーション本体から送信される信号である。この様に、電源電圧ＶＩＮがオフする前に、ハイからロウに変化するディスプレイオフ信号ＤＩＳＰＯＦＦおよび画像データＩＲＤ，ＩＧＤ，ＩＢＤは、制御部１２に入力される。
【００３４】
電源部１３は、供給された電源電圧ＶＩＮ（例えば１２ボルト）を基に、液晶表示装置１０内で使用される各種の電圧を生成する。例えば、制御部１２と信号線駆動部１５と走査線駆動部１６に対し、駆動用電圧ＶＤＤを生成する。
【００３５】
また、電源部１３は、ガンマ補正部１４に対して、基準電圧ＶＣＯＭ１およびＶＣＯＭ２と、共通電圧ＶＣＯＭを生成する。
【００３６】
更に、電源部１３は、信号線駆動部１５を介して、液晶パネル１１の信号線１７に印加するための電圧ＶＧＥＮを生成する。電源部１３は、走査線駆動部１６を介して、液晶パネル１１の走査線１８に印加するための電圧ＶＧＨおよびＶＧＬを生成する。電源部１３は、液晶パネル１１の共通電極に印加するための共通電圧ＶＣＯＭを生成する。
【００３７】
ガンマ補正部１４は、電源部１３から供給された基準電圧ＶＣＯＭ１およびＶＣＯＭ２を抵抗分圧することにより、階調基準電圧ＶＧＭ１〜ＶＧＭ１０を生成し、信号線駆動部１５へ供給する。
【００３８】
すなわち、ガンマ補正部１４は信号線駆動部１５に対し、複数個の階調基準電圧ＶＧＭ１〜ＶＧＭ１０を出力し、ディスプレイオフ信号ＤＩＳＰＯＦＦが入力される（図１と図３を参照）。
【００３９】
図３に示すように、信号線駆動部１５は、階調基準電圧ＶＧＭ１〜ＶＧＭ１０を、内蔵している第１ＤＡ変換器１５ａおよび第２ＤＡ変換器１５ｂの基準電圧として利用する。
【００４０】
信号線駆動部１５は、上記基準電圧により、表示データＤＲ，ＤＧ，ＤＢを処理し、液晶パネル１１の信号線１７に対し、ガンマ補正された階調電圧Ｖ０〜Ｖ６３とＶ０’〜Ｖ６３’（図３参照）を出力する。
【００４１】
信号線駆動部１５は、１８ビットラッチ、シフトレジスタ、サンプリングメモリ、ホールドメモリ、レベルシフタ（共に図示せず）、第１分圧回路１５ｃ、第２分圧回路１５ｄと第１ＤＡ変換器５ａ、第２ＤＡ変換器１５ｂを備えている。
【００４２】
制御部１２から信号線駆動部１５へ入力された表示データを構成する各６ビットのデータＤＲ，ＤＧ，ＤＢは、信号線駆動部１５内のラッチにおいて時分割で、内部にラッチされる。
【００４３】
そして、信号線駆動部１５内のサンプリングメモリ、ホールドメモリ、レベルシフタ（共に図示せず）を経て、水平同期信号ＨＳＹＮＣに同期して発生されるスタートパルスＥＩＳに基づいて、第１分圧回路１５ｃおよび第２分圧回路１５ｄからの基準電圧を基に、第１ＤＡ変換器１５および第２ＤＡ変換器１５ｂにより、ＤＡ変換が行われる。
【００４４】
このことにより、ガンマ補正されたアナログ電圧（階調電圧）が発生され、出力バッファを経て、液晶パネル１１のＹ１〜Ｙｎ（図示せず）からなるｎ本の信号線１７に供給される。
【００４５】
また、制御部１２から走査線駆動部１６へ供給された垂直同期信号ＶＳＹＮＣに同期し発生されるクロック信号ＣＰＶと、スタートパルスＦＬＭは、走査線駆動部１６により処理される。そして走査信号は、液晶パネル１１のＸ１〜Ｘｍ（図示せず）からなるｍ本の走査線１８に供給される。
【００４６】
なお、この場合、第１分圧回路１５ｃおよび第２分圧回路１５ｄは、１つの信号線駆動部１５に、１個ずつ設けられている。第１ＤＡ変換器１５および第２ＤＡ変換器１５ｂは信号線駆動部１５の出力端子（例えば、合計１６０個）毎に設けられている。
【００４７】
基準電圧ＶＣＯＭ１およびＶＣＯＭ２に従い、ガンマ補正部１４において生成された階調基準電圧ＶＧＭ１〜ＶＧＭ１０に基づいて、第１分圧回路１５ｃおよび第２分圧回路１５ｄと、第１ＤＡ変換器１５ａおよび第２ＤＡ変換器１５ｂにより、階調表示用の階調電圧を得る際に、所定のガンマ補正が行われる。
【００４８】
そのガンマ補正部１４と、第１分圧回路１５ｃおよび第２分圧回路１５ｄと、第１ＤＡ変換器１５ａおよび第２ＤＡ変換器１５ｂの一具体例を、図３に従い説明する。
【００４９】
この実施例におけるガンマ補正部１４は、１１本の抵抗Ｒ１〜Ｒ１１を直列接続した分圧回路である。ここでは、基準電圧ＶＣＯＭ１およびＶＣＯＭ２を基に、１０分割して階調基準電圧ＶＧＭ１〜ＶＧＭ１０を生成している。
【００５０】
また、液晶パネル１１を周期的に反転駆動するために、正極性側用の第１分圧回路１５ｃおよび第１ＤＡ変換器１５ａが設けられている。また、負極性側用の第２分圧回路１５ｄおよび第２ＤＡ変換器１５ｂが設けられている。
【００５１】
このうち、第１分圧回路１５ｃは、最大階調基準電圧ＶＧＭ１および最小階調基準電圧ＶＧＭ５の間に設けられている。第１分圧回路１５ｃは、抵抗群ａ，ｂ，ｃ，ｄを有している。
【００５２】
前記最大階調基準電圧ＶＧＭ１および最小階調基準電圧ＶＧＭ５以外の、入力された階調基準電圧ＶＧＭ２〜ＶＧＭ４は、それぞれ対応する抵抗群ａ，ｂ，ｃ，ｄの分圧点に、それぞれ並列に供給されている。
【００５３】
各抵抗群ａ，ｂ，ｃ，ｄは、図３において、それぞれ１本の抵抗のように示されている。しかし、実際には、例えば、抵抗群ｃは１６本の抵抗からなる。
【００５４】
この様にして、第１分圧回路１５ｃにおいて、６ビット＝４×１６＝６４階調分の階調電圧Ｖ６３〜Ｖ０が生成され、これらの階調電圧が第１ＤＡ変換器１５ａに入力される。
【００５５】
第１ＤＡ変換器１５ａは、第１分圧回路１５ｃより入力された６４階調分の階調電圧Ｖ６３〜Ｖ０から、入力された表示データＤＲ，ＤＧ，ＤＢに対応する１つの階調電圧を選択して出力する。ガンマ補正された階調電圧として、液晶パネル１１のＹ１〜Ｙｎからなるｎ本の信号線１７に供給される。
【００５６】
同様に、第２ＤＡ変換器１５ｂは、第２分圧回路１５ｄより入力された６４階調分の階調電圧Ｖ０’〜Ｖ６３’から、入力された表示データＤＲ，ＤＧ，ＤＢに対応する１つの階調電圧を選択して出力する。ガンマ補正された階調電圧として、液晶パネル１１のＹ１〜Ｙｎからなるｎ本の信号線１７に供給される。
【００５７】
正極性側用の第１分圧回路１５ｃおよび第１ＤＡ変換器１５ａと、負極性側用の第２分圧回路１５ｄおよび第２ＤＡ変換器１５ｂとの切換は、制御部１２内で生成された極性反転信号ＰＯＬによって行われる。
【００５８】
赤色の表示データＤＲを例にとると、極性反転信号ＰＯＬがロウ状態の場合、第２ＤＡ変換器１５ｂが選択される。この時、ＤＲ＝００００００ならば、全黒の階調電圧Ｖ０’（例えば３．３ボルト）が信号線１７に対し、出力される。また、ＤＲ＝１１１１１１ならば、全赤の階調電圧Ｖ６３’（例えば０．３ボルト）が信号線１７に対し、出力される。
【００５９】
また、逆に、極性反転信号ＰＯＬがハイ状態の場合には、第１ＤＡ変換器１５ａが選択される。この時、ＤＲ＝００００００ならば、全黒の階調電圧Ｖ０（例えば３．９ボルト）が信号線１７に対し、出力される。また、ＤＲ＝１１１１１１ならば、全赤の階調電圧Ｖ６３（例えば９．０ボルト）が信号線１７に対し、出力される。なお、この時、共通電圧ＶＣＯＭは３．６ボルトである。
【００６０】
なお、上記説明は、電源電圧ＶＩＮが入力され、ディスプレイオフ信号ＤＩＳＰＯＦＦがオン状態で、通常の表示している状態を示した。
【００６１】
次に、図１ないし図４（タイミングチャート）に従い、本発明の第１特徴を説明する。例えば、この液晶表示装置１０の使用を終了するために、使用者は終了ボタン（図示をせず）を押したとする。
【００６２】
電源電圧ＶＩＮがオフする前に、ディスプレイオフ信号ＤＩＳＰＯＦＦはハイ状態からロウ状態へ変化する（図４（ａ）参照）。
【００６３】
この時、制御部１２は信号線駆動部１５に対し、固定した表示データ（例えば、ＤＲ＝００００００，ＤＧ＝００００００，ＤＢ＝００００００）を出力し続ける。そして、ガンマ補正部１４は信号線駆動部１５に対し、液晶パネル１１に供給される共通電圧ＶＣＯＭを出力する。
【００６４】
次に、本発明の第２特徴を以下に説明する。前記固定した表示データ（例えば、ＤＲ＝００００００，ＤＧ＝００００００，ＤＢ＝００００００）は、信号線駆動部１５の出力電圧（Ｖ６３〜Ｖ０，Ｖ０’〜Ｖ６３’）の中で、共通電圧ＶＣＯＭに近い出力電圧（例えばＶ０またはＶ０’）に応答する（対応する）データである。
【００６５】
次に、図３に従い、本発明の第３特徴を以下に述べる。図３において、ガンマ補正部１４は、スイッチ回路１４ａ，１４ｂを有している。
【００６６】
スイッチ回路１４ａの一端子は共通電圧ＶＣＯＭが入力される。スイッチ回路１４ａの他端子は、共通電圧の値に近い、階調基準電圧ＶＧＭ５の出力端子１４ｃに接続されている。スイッチ回路１４ａの制御端子（図示せず）は、ディスプレイオフ信号ＤＩＳＰＯＦＦが入力される。
【００６７】
同様に、スイッチ回路１４ｂの一端子は共通電圧ＶＣＯＭが入力される。スイッチ回路１４ｂの他端子は、共通電圧の値に近い、階調基準電圧ＶＧＭ６の出力端子１４ｄに接続されている。スイッチ回路１４ｂの制御端子（図示せず）は、ディスプレイオフ信号ＤＩＳＰＯＦＦが入力される。
【００６８】
次に、図１ないし図４に従い、本発明の第４特徴を以下に述べる。ディスプレイオフ信号ＤＩＳＰＯＦＦがハイからロウに変化した時（図４（ａ）参照）、制御部１２は信号線駆動部１５に対し、全黒の表示データ（ＤＲ＝００００００，ＤＧ＝００００００，ＤＢ＝００００００）を出力する（図４（ｂ）参照）。
【００６９】
また、その時、ガンマ補正部１４は信号線駆動部１５を介して、各信号線１７に対し、共通電圧ＶＣＯＭの値に等しい全黒の電圧を出力する（図４（ｃ），（ｄ）参照）。
【００７０】
即ち、図３において、極性反転信号ＰＯＬがロウの場合、第２ＤＡ変換器１５ｂが選択される。この時、ディスプレイオフ信号ＤＩＳＰＯＦＦがロウ状態に変化する。
【００７１】
この時、スイッチ回路１４ｂの制御端子には、ロウ信号が印加される。スイッチ回路１４ｂがノーマルクローズ型とすれば、スイッチ回路１４ｂは閉成する。その結果、出力端子１４ｄには、共通電圧ＶＣＯＭが印加される。
【００７２】
故に、第２ＤＡ変換器１５ｂは、信号線駆動部１５の全部の出力端子に対し、共通電圧ＶＣＯＭの値に等しい全黒の電圧Ｖ０’を出力する。その結果、信号線１７に対し、共通電圧ＶＣＯＭと等しい全黒の電圧Ｖ０’が出力される。
【００７３】
同様に、極性反転信号ＰＯＬがハイの場合、第１ＤＡ変換器１５ａが選択される。この時、ディスプレイオフ信号ＤＩＳＰＯＦＦがロウ状態に変化する。
【００７４】
この時、各信号線１７に対し、共通電圧ＶＣＯＭと等しい全黒の電圧Ｖ０が出力される。その後、電源電圧ＶＩＮがオフし、一連の動作が終わる。
【００７５】
この様に、ディスプレイオフ信号ＤＩＳＰＯＦＦがハイからロウ状態に変化した時点から、電源電圧ＶＩＮが停止する時点までの時間は例えば、数十ミリ秒である。
【実施例２】
【００７６】
次に、図５と図６に従い、本発明の実施例２に係る液晶表示装置１０Ａを説明する。図５は上記装置１０Ａのブロック図、図６は上記装置１０Ａのタイミングチャートである。
【００７７】
この液晶パネル１１Ａはノーマリホワイトにて構成されている。即ち、上偏光板の偏光通過角度と、下偏光板の偏光通過角度は直交している。その他の部品は、実施例１のものと同じである。
【００７８】
この液晶表示装置１０Ａの特徴を以下に述べる。ディスプレイオフ信号ＤＩＳＰＯＦＦがハイからロウに変化した時、制御部１２は信号線駆動部１５に対し、全白（ＤＲ＝１１１１１１，ＤＧ＝１１１１１１，ＤＢ＝１１１１１１）の表示データを出力する（図６（ｂ）参照）。
【００７９】
そして、この時、ガンマ補正部１４は信号線駆動部１５を介して、各信号線１７に対し共通電圧ＶＣＯＭの値と等しい全白の電圧を出力する（図６（ｃ），（ｄ）参照）。
【図面の簡単な説明】
【００８０】
【図１】本発明の実施例１に係る液晶表示装置１０のブロック図である。
【図２】上記装置１０に用いられる制御部１２のブロック図である。
【図３】上記装置１０に用いられるガンマ補正部１４および信号線駆動部１５のブロック図である。
【図４】上記装置１０に用いられる各データ等のタイミングチャートである。
【図５】本発明の実施例２に係る液晶表示装置１０Ａのブロック図である。
【図６】上記装置１０Ａに用いられる各データ等のタイミングチャートである。
【符号の説明】
【００８１】
１１  液晶パネル
１２  制御部
１４  ガンマ補正部
１５  信号線駆動部
１６  走査線駆動部
１７  信号線
１８  走査線
【図１】
2007065134.tif 000003
【図２】
2007065134.tif 000004
【図３】
2007065134.tif 000005
【図４】
2007065134.tif 000006
【図５】
2007065134.tif 000007
【図６】
2007065134.tif 000008